(57)【要約】【課題】製造コストも低減できながら、搬送される原稿Ｐの終端縁の位置検知を正確にできるようにした原稿読取装置を提供する。【解決手段】アクチュエータ部材２７の先端部２７ａより搬送上流側に、揺動可能な規制体３０を配置すると、規制体３０の下端部３０ａにて原稿Ｐの後端部は外側経路板２１ｂの上面に近接するように偏倚されているので、当該原稿Ｐの後端部がアクチュエータ部材２７の先端部２７ａから抜けると、瞬間的にアクチュエータ部材２７が反時計回りに回動し、後端部２７ｂがセンサ３６の検知部３６ａを遮ることができ、その時点から所定の距離だけ原稿Ｐの後端縁が進むと、画像読取手段１０の通過画像読取位置１２ａに来るので、その時点で原稿Ｐ１枚分の画像読取動作を終了できるのである。【選択図】図４
2007259209.tif 000002
【特許請求の範囲】
【請求項１】
給紙トレイから原稿を１枚ずつ分離して搬送する原稿搬送手段と、原稿の画像を読取ガラス板が備えられた読取位置で読み取る画像読取手段と、前記給紙トレイから前記読取位置を経て排紙トレイまで原稿を搬送する原稿搬送経路とを有する原稿読取装置において、
前記読取ガラス板の表面側には前記画像読取手段と対向する位置に原稿押え部材が配置され、
前記原稿押え部材が配置された位置よりも搬送上流側の原稿搬送経路には、当該原稿搬送経路を通過する原稿に当接することにより原稿の有無を検知する検知手段が設けられ、この検知手段の近傍には、前記原稿の通過姿勢を一定にするための規制手段が設けられていることを特徴とする原稿読取装置。
【請求項２】
前記規制手段は、前記原稿搬送経路における一方の経路板に前記通過する原稿を沿わせるための当接部を備えていることを特徴とする請求項１に記載の原稿読取装置。
【請求項３】
前記規制手段は、さらに付勢手段を備えていることを特徴とする請求項２に記載の原稿読取装置。
【請求項４】
前記検知手段は、原稿に当接することにより揺動するアクチュエータ部材と、前記アクチュエータ部材の揺動位置を検知するセンサとを備えたことを特徴とする請求項１乃至３のいずれかに記載の原稿読取装置。
【請求項５】
前記読取ガラス板と前記原稿押え部材との対面部に対して、前記一方の経路板は、鋭角状に接近するように配置されていることを特徴とする請求項１乃至４のいずれかに記載の原稿読取装置。
【発明の詳細な説明】
【技術分野】
【０００１】
本発明は、画像が記載された原稿を搬送しながら、その画像を読み取る手段を有する原稿読取装置に係り、より詳しくは給紙トレイに複数枚堆積させた原稿を１枚ずつ分離すると共に分離された原稿を搬送しながら画像を読取る自動原稿搬送装置付きの原稿読取装置の構成に関するものである。
【背景技術】
【０００２】
従来から、上記の自動原稿搬送装置付きの原稿読取装置では、図７及び図８等に開示されているように、透明な大判のガラス板１００と端部ガラス板１０１との間にすくいガイド部材１０２を配置している。原稿を静置して画像を読取るための大判のガラス板１００と、搬送原稿が通過する端部ガラス板１０１との下面にわたって移動可能なライン型ＣＣＤ撮像素子や密着型イメージセンサ（ＣＩＳ）などからなる読取センサ１０３を備える一方、大判のガラス板と端部ガラス板との表面側を覆う蓋状のカバー体１０４（原稿押えカバー体）の一端部寄りには、カバー体１０４の上面側に、給紙トレイ部１０５と排紙トレイ部１０６と、その間を側面視でＵターン状に形成した原稿搬送経路１０７と、原稿搬送経路中に設けられた複数箇所の搬送ローラ対１０９ａ，１０９ｂ，１０９ｃと、原稿押え部材１１０等とを備えて、カバー体１０４を上記ガラス板１００、１０１に被せるように閉じると、原稿押え部材１１０が端部ガラス板１０１を介して読取センサ１０３と対面するように近接する。この状態で、給紙トレイ部１０５に原稿１１１を複数枚載置して、原稿読取動作を行わせると、分離手段１０８により、原稿１１１は１枚ずつ分離搬送され、端部ガラス板１０１の表面と原稿押え部材１１０との間に送られ、ここで原稿１１１の画像が読み取られた後、原稿１１１は排紙トレイ部１０６へと排出されるものである。
【０００３】
そして、特許文献１等において公知の用紙有無検知手段を原稿搬送経路１０７中に設ける。即ち、原稿搬送経路１０７における上下経路板１０７ａ、１０７ｂの間の通し孔１１４に、揺動自在なアクチュエータ部材１１２をその先端部１１２ａが突出するように配置し、このアクチュエータ部材１１２の先端部１１２ａが搬送している原稿１１１に当接して、この原稿１１１の表面に載ると、アクチュエータ部材１１２が図７及び図８で反時計回り方向に回動し、その基端部１１２ｂが光遮断センサ１１３の部分から離間し、原稿１１１の先端縁を検知する。
【０００４】
従って、原稿１１１がアクチュエータ部材１１２の先端部１１２ａに摺接している間は、センサ１１３からの信号にて用紙（原稿）有りと判別する。他方、原稿搬送経路１０７を通過している原稿１１１の後端縁がアクチュエータ部材１１２の先端部の箇所を通過すると、当該アクチュエータ部材１１２の先端部１１２ａ側が原稿搬送経路１０７における一対の経路板のうち下側経路板１０７ｂの通し孔１１４に落ち込む（嵌まる）ようにアクチュエータ部材１１２が回動して、原稿１１１の後端縁を検知し、原稿（用紙）無しと判断される。
【０００５】
そして、センサ１１３からの信号にて原稿１１１の先端縁を検知すると、その時点から所定時間経過後、または、原稿１１１の先端縁が読取センサ１０３における読取ライン１０３ａに到達するまでの原稿搬送経路１０７における搬送駆動モータ（図示せず）の回転数を計数して（原稿の一定量の移動後）、読取センサ１０３による画像読取動作が開始される。同様にして、センサ１１３からの信号にて原稿１１１の後端縁を検知してから所定時間経過後、または、原稿１１１の後端縁が読取ライン１０３ａに到達するまでの上記搬送駆動モータ（図示せず）の回転数を計数して（原稿の一定量の移動後）、原稿１枚分の画像読取動作を終了させるのである。
【特許文献１】特開平９−１８３５３１号公報
【発明の開示】
【発明が解決しようとする課題】
【０００６】
しかしながら、原稿搬送経路１０７を通過する原稿１１１の腰の強さが強い場合（紙厚さが厚い等により撓み難い場合）、端部ガラス板１０１に対して原稿１１１が原稿押え部材１１０で押えられると、当該原稿１１１の後端部が一対の経路板のうちの上側に偏倚した状態に保持されるので（図８の実線状態参照）、アクチュエータ部材１１２の先端部１１２ａが上側経路板１０７ａに近い位置まで大きく回動し、アクチュエータ部材１１２の基端部１１２ｂが光遮断センサ１１３の部分から大きく離間した状態となり、基端部１１２ｂが光遮断センサ１１３の部分を遮蔽するまでのアクチュエータ部材１１２の回動角度が大きくなる。他方、原稿１１１の腰の強さが弱い場合には、図８の二点鎖線で示すように、アクチュエータ部材１１２の基端部１１２ｂで押された原稿１１１の後端部が一対の経路板のうちの下側経路板１１７ｂに摺接するように偏倚するので、アクチュエータ部材１１２の基端部１１２ｂが光遮断センサ１１３の部分を遮蔽するまでのアクチュエータ部材１１２の回動角度が小さい。
【０００７】
このように、通過する原稿１１１の腰の強さにより、基端部１１２ｂが光遮断センサ１１３の部分を遮蔽するまでのアクチュエータ部材１１２の回動角度がまちまちになると、上記原稿１枚分の画像読取時間がばらつき、極端な場合には、原稿１１１の終端縁が画像読取ラインを通過していないのに、画像読取動作を終了させてしまい、画像読取不良となるという問題があった。この問題は原稿の始端縁の読取の誤差によっても発生する。
【０００８】
本発明は、上記従来の不都合を解消し、搬送される原稿の始端縁及び後端縁を正確に検出できるようにした原稿読取装置を提供することを課題とするものである。
【課題を解決するための手段】
【０００９】
前記課題を解決するために、請求項１に記載の発明における原稿読取装置は、給紙トレイから原稿を１枚ずつ分離して搬送する原稿搬送手段と、原稿の画像を読取ガラス板が備えられた読取位置で読み取る画像読取手段と、前記給紙トレイから前記読取位置を経て排紙トレイまで原稿を搬送する原稿搬送経路とを有する原稿読取装置において、前記読取ガラス板の表面側には前記画像読取手段と対向する位置に原稿押え部材が配置され、前記原稿押え部材が配置された位置よりも搬送上流側の原稿搬送経路には、当該原稿搬送経路を通過する原稿に当接することにより原稿の有無を検知する検知手段が設けられ、この検知手段の近傍には、前記原稿の通過姿勢を一定にするための規制手段が設けられているものである。
【００１０】
請求項２に記載の発明は、請求項１に記載の原稿読取装置において、前記規制手段は、前記原稿搬送経路における一方の経路板に前記通過する原稿を沿わせるための当接部を備えているものである。
【００１１】
請求項３に記載の発明は、請求項２に記載の原稿読取装置において、前記規制手段は、さらに付勢手段を備えているものである。
【００１２】
請求項４に記載の発明は、請求項１ないし３のいずれかに記載の原稿読取装置において、前記検知手段は、原稿に当接することにより揺動するアクチュエータ部材と、前記アクチュエータ部材の揺動位置を検知するセンサとを備えたものである。
【００１３】
請求項５に記載の発明は、請求項１ないし４のいずれかに記載の原稿読取装置において、前記読取ガラス板と前記原稿押え部材との対面部に対して、前記一方の経路板は、鋭角状に接近するように配置されているものである。
【発明の効果】
【００１４】
請求項１に記載の発明によれば、給紙トレイから原稿を１枚ずつ分離して搬送する原稿搬送手段と、原稿の画像を読取ガラス板が備えられた読取位置で読み取る画像読取手段と、前記給紙トレイから前記読取位置を経て排紙トレイまで原稿を搬送する原稿搬送経路とを有する原稿読取装置において、前記読取ガラス板の表面側には前記画像読取手段と対向する位置に原稿押え部材が配置され、前記原稿押え部材が配置された位置よりも搬送上流側の原稿搬送経路には、当該原稿搬送経路を通過する原稿に当接することにより原稿の有無を検知する検知手段が設けられ、この検知手段の近傍には、前記原稿の通過姿勢を一定にするための規制手段が設けられているものであるから、原稿の腰の強弱の如何に拘らず、当該通過する原稿を規制手段により、原稿搬送経路における一方の経路板の表面に近接して沿うように規制（付勢）すれば、検知手段による原稿の先端縁及び後端淵の検知を正確且つ安定して行うことができ、原稿の画像読取動作が安定するという効果を奏する。
【００１５】
請求項２に記載の発明によれば、前記規制手段は、前記原稿搬送経路における一方の経路板に前記通過する原稿を沿わせるための当接部を備えているものであるので、簡単な構成で、通過する原稿を規制手段により、原稿搬送経路における一方の経路板の表面に近接して沿うように規制させることができ、且つ規制手段により通過する原稿が紙詰まりをすることも防止できる。
【００１６】
請求項３に記載の発明によれば、前記規制手段は、さらに付勢手段を備えているものであるので、重力に逆らった側の経路板に前記通過する原稿を沿わせることも可能となる。
【００１７】
請求項４に記載の発明によれば、前記検知手段は、原稿に当接することにより揺動するアクチュエータ部材と、前記アクチュエータ部材の揺動位置を検知するセンサとを備えたものであるから、従来の構成をそのまま流用（適用）できて、改良のためのコストを大幅に低減できるという効果も奏する。
【００１８】
請求項５に記載の発明によれば、前記読取ガラス板と前記原稿押え部材との対面部に対して、前記一方の経路板は、鋭角状に接近するように配置されているものであり、このうような経路に対して本発明は必要不可欠な構成となる。
【発明を実施するための最良の形態】
【００１９】
以下、本発明の第１の実施の形態について、図面に基づいて説明する。図１は本発明の原稿読取装置の斜視図、図２は蓋カバー体を開いた状態の斜視図、図３（ａ）は本発明の第１実施形態で規制手段の箇所を原稿が通過中を示す原稿読取装置の一部切欠き側断面図、図３（ｂ）は原稿の終端縁が検知手段及び規制手段の箇所を通過し終えた状態を示す一部切欠き側断面図、図４は第１実施形態の要部拡大側断面図、図５は制御機構の機能ブロック図、図６は規制手段の第２実施形態を示す側断面図、図７は従来技術の画像読取装置の側断面図、図８は従来技術における腰の強さによる原稿の終端縁の検知の誤差を示す説明図である。
【００２０】
本発明の実施の形態は、ファクシミリ機能、スキャナ機能、複写機能及びプリンタ機能を備えた多機能装置（複合装置）のハウジング２（図１の二点鎖線部参照）の上に搭載した画像読取装置１に適用したものである。即ち、画像読取装置１は、ファクシミリ機能時に相手ファクシミリ装置に送信すべきファクシミリ原稿や、複写機能時に複写すべき原稿の画像を読取るものである。
【００２１】
図２、図３（ａ）、図３（ｂ）及び図４に示すように、画像読取装置１の本体ケース３における上面には、原稿読取用の透明な大判の静止画像読取ガラス板４とすくいガイド部材１１と通過画像読取ガラス板１２とがその順番に水平状態で固定されている。
【００２２】
本体ケース３の上面のうち後側縁には、蝶番６を介して上下回動可能に蓋状カバー体７が装着され、自動原稿搬送装置５が、蓋状カバー体７の上面一側に設けられている。自動原稿搬送装置５は、給紙トレイ部２０と、搬送ローラなどの原稿搬送手段２２が配置された側面視Ｕ字状の搬送経路２１と、通過画像読取ガラス板１２の表面に搬送される原稿Ｐの画像を接近させるようにする原稿押え部材１３と、画像読取後の原稿Ｐが排出されて堆積される排紙トレイ部２３とを備えている（図３（ａ）及び図３（ｂ）参照）。
【００２３】
スキャナ機能を実行するための画像読取手段１０（例えば、ライン型の密着型イメージセンサ（ＣＩＳ：Contact Image Sensor）が、静止画像読取ガラス板４及び通過画像読取ガラス板１２の下面側にて図２及び図３（ａ）のＹ軸方向（原稿Ｐの搬送方向）に沿って往復移動可能に設けられている。画像読取手段１０は原稿Ｐの搬送方向と直交する主走査方向（図２のＸ軸方向）に沿って長く形成されており、搬送可能な原稿Ｐの最大幅寸法より長い範囲の画像を読取できるように構成されている。画像読取手段１０は通過画像読取位置１２ａにおいて停止することができるものである。なお、画像読取手段１０はライン型ＣＣＤ撮像素子であっても良い。
【００２４】
上記原稿押え部材１３は通過画像読取ガラス板１２の表面（上面）と対面する平行状の下面板１３ａと、後に詳述する搬送経路２１における下向き傾斜した部位に向かって延びる傾斜案内板１３ｂとからなる側面視逆山形形状であり、コイルバネのような付勢手段１４にて通過画像読取ガラス板１２の表面に接近する方向に付勢されている（図４参照）。原稿押え部材１３は画像読取手段１０の検出面（読取面）の長さ方向（主走査方向）と平行状にてほぼ同じ長さにて配置される（図２参照）。実施形態では、原稿押え部材１３の下面板は金属板であるが、原稿押え部材１３の全体を材質が摩擦係数の少ない滑らかな表面を呈する合成樹脂材にて構成しても良い。また、原稿押え部材１３として金属板を使用する場合には、原稿Ｐ読取時の裏写りの防止のために、金属板の下面に白色のフィルム（粘着材付き）を貼着することが好ましい。
【００２５】
蓋状カバー体７の上面の一側には後述する原稿搬送手段２２が配置されており、給紙トレイ部２０から供給された原稿Ｐを原稿搬送手段２２で搬送し、この原稿Ｐの画像を通過画像読取ガラス板１２における通過画像読取位置１２ａの下面側で一旦停止（静止）している画像読取手段１０によって読み取らせ、すくいガイド部材１１の箇所ですくいあげられた後、排紙トレイ部２３に排紙するように構成されている。
【００２６】
なお、本実施形態では、図２、図３（ａ）及び図３（ｂ）ですくいガイド部材１１の位置よりも右側の静止画像読取ガラス板４における大きい面積の部分は、このガラス板４上に伏せて置いた原稿の画像を読取るフラットベッド読取部となる。そのため、蓋状カバー体７の下面には、静止画像読取ガラス板４上に画像が記載された面を下向きにして原稿を押えるためのスポンジ及び白板等からなる押え体７ａを備えている。これにより、押え体７ａにて原稿を押えた状態で、画像読み取り指令により、画像読取手段１０が静止画像読取ガラス板４の下面に配置されたガイドレール（図示せず）に沿って移動しながら画像を読み取ることができる構成でもある。
【００２７】
給紙トレイ部２０及び搬送経路２１の構成を説明する。蓋状カバー体７の一側には、自動原稿搬送装置５におけるケース部３１が固定されており、該ケース部３１の一端には、給紙トレイ部２０がその自由端を上方とし、ケース部３１への取り付け位置が低い高さとなるように傾斜状に配置され、原稿Ｐは画像が書かれた面を上にして堆積積層される。一方、給紙トレイ部２０の下方の蓋状カバー体７の上面に排紙トレイ部２３が形成されている（図１参照）。
【００２８】
給紙トレイ部２０の下端側（搬送経路２１への導入部）には、分離用ローラ２５とこれに対面する分離摩擦板２６とが設けられ、給紙トレイ部２０に複数枚堆積させた原稿Ｐを１枚ずつに分離して搬送経路２１へ送り出す。給紙トレイ部２０から供給された原稿Ｐの片面を通過画像読取位置１２ａで読み取って排紙可能な搬送経路２１には、原稿搬送手段２２として駆動ローラと従動ローラとからなる搬送ローラ対２２ａ，２２ｂ，２２ｃが適宜間隔をあけて複数配置され（図３（ａ）及び図３（ｂ）参照）、これらの搬送ローラ２２ａ，２２ｂ，２２ｃにおける駆動ローラは図示しない駆動系及び駆動モータ２４（図５参照）により回転駆動するものである。
【００２９】
図３（ａ）及び図３（ｂ）に示すように、搬送経路２１は給紙トレイ部２０に連設された側面視横向き略Ｕ字状の内側経路板２１ａとこの内側経路板２１ａの外径側に所定の隙間を隔てて配置される外側経路板２１ｂとからなる。内側経路板２１ａはケース部３１内に一体的に形成されている。外側経路板２１ｂはケース部３１の上側を覆う回動カバー体３２の内面側に一体的に形成されている。
【００３０】
なお、回動カバー体３２の下端（基端）はケース部３１の側端部に対して枢軸部３３を中心にして上下回動可能に連結されている。そのため、回動カバー体３２を開放することによって、搬送経路２１の部位で紙詰まりした原稿Ｐを取り除けるだけでなく、紙詰まりによって通過原稿読取ガラス板１２の箇所で停止している原稿Ｐも取り除くことができるようになっている。
【００３１】
図３（ａ）、図３（ｂ）及び図４に示すように、原稿押え部材１３が配置された位置の搬送上流側で通過画像読取ガラス板１２の表面に接近するように、外側経路板２１ｂは下向き傾斜状に形成し配置されている。内側経路板２１ａは原稿押え部材１３の配置位置の搬送上流側で最も近い位置の搬送ローラ対２２ｂの上部で終わるように形成されている。そして、この搬送ローラ対２２ｂのうち上側の駆動ローラ２２ｂ′と上記原稿押え部材１３との間には、従来技術と同様のアクチュエータ部材２７がピン軸２９を中心に上下回動可能に軸支されている。その上流側には、本発明の規制手段としての規制体３０が横軸３３を中心にして上下揺動可能に設けられている。
【００３２】
規制体３０は金属板もしくは合成樹脂材により側面視が実質上Ｌ字状に形成され、規制体３０の下端部３０ａが外側経路板２１ｂの上面に沿いその下流側に延びている。規制体３０の自重により上記下端部３０ａが外側経路板２１ｂの上面に近接または当接している。下端部３０ａは二股状に分かれ、その間に上下に貫通する隙間溝３４が設けられている（図４参照）。外側経路板２１ｂの終端部に形成された通し孔３５と上記隙間溝３４とは上下に重なる位置に配置される。
【００３３】
アクチュエータ部材２７は側面視が実質上Ｌ字状に形成され、その先端部２７ａの重量を後側より大きくなるように形成する。外側経路板２１ｂの上面を原稿Ｐが通過していない状態では、下向き先端部２７ａが上記隙間溝３４及び通し孔３５を通過し得るように設定されている。
【００３４】
原稿押え部材１３の付勢手段１４の上端側を支持するフレーム３６の上面には、光遮断型のホトインタラプタのような非接触式センサ３６が固定されており、上下回動可能なアクチュエータ部材２７の後端部２７ｂが下降して検知部３６ａを遮ることができるように配置されている。
【００３５】
次に、搬送される原稿Ｐの先端及び後端を正確に検出するための制御手段４０を図５のブロック図を用いて説明する。
【００３６】
通常、多機能装置に搭載されている制御手段４０は、画像読取手段１０、比較手段４２、コントローラ４１、判定手段４３、検出手段４４、操作手段４５、表示手段４６、記憶手段４７、通信手段４８、プリンタ部等の印字手段５０等を備えている。コントローラ４１及び判定手段４３はＣＰＵ等である。記憶手段４７は半導体メモリやハードディスク等であり、制御上必要な各種のプログラムや、ＣＰＵを介して演算された各種データや、読み取ったり受信したりした画像データ等を一時的に記憶する。
【００３７】
検出手段４４はアクチュエータ部材２７とセンサ３６とからなり、上述した画像読取位置１２ａの手間まで、原稿Ｐの先端縁または後端縁が来たことや原稿Ｐの原稿の長さを検出するものである。また、操作手段４５は多機能装置における操作パネル部に設けられたボタンキー等であり、表示手段４６は操作パネル部に設けられた液晶パネル等である。また、制御手段４０は、原稿搬送手段２２における駆動モータ２４の駆動を司り、これらの他に、電話回線等が接続される通信手段４８、プリンタ機能等の印字手段５０等も接続されている。記憶手段４７には、原稿Ｐの画像読取開始及び終了のタイミングを正確に検知するためのデータが記憶されている。
【００３８】
即ち、アクチュエータ部材２７の先端部２７ａに対して搬送される原稿Ｐの先端縁が当接して、当該アクチュエータ部材２７の後端部２７ｂがセンサ３６の検知部３６ａから外れ、光信号を検知した瞬間の原稿Ｐの先端縁から画像読取位置１２ａまでの距離のデータと、搬送される原稿Ｐの後端縁がアクチュエータ部材２７の先端部２７ａから外れることにより、当該アクチュエータ部材２７の後端部２７ｂがセンサ３６の検知部３６ａを遮った瞬間の原稿Ｐの後端縁から画像読取位置１２ａまでの距離のデータとである。
【００３９】
上記の構成において、原稿読取指令があると、給紙トレイ部２０に堆積された複数枚の原稿Ｐのうち最上側から順に１枚ずつ分離されて、原稿搬送経路２１に送り出される。そして、外側経路板２１ｂと内側経路板２１ａとの間を通過した原稿Ｐの先端縁が規制体３０の湾曲部に当たり、下端部３０ａが外側経路板２１ｂの上面に近接または当接しているので、腰の強さの如何にかかわらず、原稿Ｐは外側経路板２１ｂの上面に接近するように、規制体３０の下端部３０ａにて偏倚させられる。この状態で、隙間溝３４及び通し孔３５に突出している揺動自在なアクチュエータ部材２７の先端部２７ａを原稿Ｐの先端縁が押すので、アクチュエータ部材２７が図４のように反時計回りに回動し、後端部２７ｂがセンサ３６の検知部３６ａから外れ、原稿Ｐの先端縁が所定の位置に来たことを検知できる。
【００４０】
これにより、所定の距離だけ原稿Ｐの先端縁が進むと、画像読取手段１０の通過画像読取位置１２ａに来るので、そこから原稿Ｐ１枚分の画像読取動作を開始するのである。
【００４１】
同様に、規制体３０の下端部３０ａにて原稿Ｐの後端部は外側経路板２１ｂの上面に近接するように偏倚されているので、当該原稿Ｐの後端部がアクチュエータ部材２７の先端部２７ａから抜けると、図４において瞬間的にアクチュエータ部材２７が反時計回りに回動し、後端部２７ｂがセンサ３６の検知部３６ａを遮ることができ、その時点から所定の距離だけ原稿Ｐの後端縁が進むと、画像読取手段１０の通過画像読取位置１２ａに来るので、その時点で原稿Ｐ１枚分の画像読取動作を終了できるのである。
【００４２】
このように、規制体３０により、通過する原稿Ｐの腰の強弱に関係なく、当該原稿Ｐを原稿搬送経路２１における一方の経路板（実施形態では、外側経路板２１ｂ）に接近するように偏倚させて規制できるので、上述のように、原稿Ｐの有無の判断に際してのアクチュエータ部材２７の回動量が一定で安定する。従って、原稿Ｐの画像読取の開始、終了のタイミングが正確となるのである。
【００４３】
図６は、規制手段の第２実施形態を示し、ＰＥＴフィルム等の腰の強い（撓み弾性係数の大きい）平板３７の基端部を内側経路板２１ａの終端部に接着剤などにて固定する。この平板３７の先端部（自由端部）はアクチュエータ部材２７の先端部２７ａに接近する方向（搬送方向下流側）に向かって延設し、且つ原稿搬送経路２１における一方の経路板（実施形態では、外側経路板２１ｂ）の表面に沿うように延ばすのである。
【００４４】
これらの変形例として、アクチュエータ部材２７の先端部２７ａを内側経路板２１ａの方に延ばし、規制手段にて原稿Ｐを内側経路板２１ａの表面に接近させるように偏倚させる配置であっても良い。いずれにしても、原稿Ｐの腰の強弱の如何に拘らず、当該通過する原稿Ｐを規制手段により、原稿搬送経路２１における一方の経路板の表面に近接して沿うように規制（付勢）すれば、アクチュエータ部材２７による原稿Ｐの先端縁及び後端淵の検知を正確且つ安定して行うことができ、原稿Ｐの画像読取動作が安定するという効果を奏する。
【００４５】
上記規制体３０の下端部３０ａや、平板３７の先端部（自由端部）が、請求項における当接部に相当する。また、平板３７自体の弾性や、規制体３０に設けて下端部３０ａを一方の経路板の表面に近接させる捩じりバネなどが、請求項における付勢手段に相当する。
【００４６】
なお、通過画像読取ガラス板１２と原稿押え部材１３との対面部に対して、一方の経路板は、鋭角状に接近するように配置されていることにより、規制手段（規制体３０、平板３７）が存在しない場合に、原稿Ｐの腰の強さの強弱に応じて、原稿押え部材１３により中途部が屈曲させられた原稿Ｐの後端部が影響を受けて、一方の経路板または他方の経路板に接近するようにばらつくものであるから、このような経路に対して本発明は必要不可欠な構成となる。逆に、一方の経路板と通過画像読取ガラス板１２とに段差がほとんどない場合や、経路板から通過画像読取ガラス板１２の表面への原稿Ｐの通路が実質上同一平面の場合には、必要性がほとんどないものである。
【００４７】
本発明では、通過する原稿Ｐに対して当接するアクチュエータ部材２７を備えた形式の検知手段に適用するものあるので、従来からこの形式の検知手段を備えた画像読取装置の改良に際して、簡単な構成の規制手段の付加だけで良いから、製造コストを低減できるという効果を奏する。
【図面の簡単な説明】
【００４８】
【図１】本発明の原稿読取装置の斜視図である。
【図２】蓋カバー体を本体ケースから開き回動した状態を示す斜視図である。
【図３】（ａ）は本発明の第１実施形態で規制手段の箇所を原稿が通過中を示す原稿読取装置の一部切欠き側断面図、（ｂ）は原稿の終端縁が検知手段及び規制手段の箇所を通過し終えた状態を示す一部切欠き側断面図である。
【図４】第１実施形態の要部拡大側断面図である。
【図５】制御手段の機能ブロック図である。
【図６】規制手段の第２実施形態を示す側断面図である。
【図７】従来技術の画像読取装置の側断面図である。
【図８】従来技術における腰の強さによる原稿の終端縁の検知の誤差を示す説明図である。
【符号の説明】
【００４９】
１  画像読取装置
３  本体ケース
４  静止画像読取ガラス板
５  自動原稿搬送装置
７  蓋状カバー体
７ａ  押え体
１０  画像読取手段
１１  すくいガイド部材
１２    通過画像読取ガラス板
１２ａ  通過画像読取位置
１３    原稿押え部材
１３ａ  下面板
１３ｂ  傾斜案内板
２０  給紙トレイ部
２１  原稿搬送経路
２２  原稿搬送手段
２３  排紙トレイ部
２７  アクチュエータ部材
３０  規制体
３６  センサ
３７  規制手段としての平板
４０  制御手段
【図１】
2007259209.tif 000003
【図２】
2007259209.tif 000004
【図３】
2007259209.tif 000005
【図４】
2007259209.tif 000006
【図５】
2007259209.tif 000007
【図６】
2007259209.tif 000008
【図７】
2007259209.tif 000009
【図８】
2007259209.tif 000010